(57)【要約】  本発明は、安全なペット運搬装置に関し、基本的にポータブルケージ（１）の形状をしており、本体（２）、２つの反対に取り付けられた側壁（３Ａ、３Ｂ）、少なくとも１枚のドア（４Ａ、４Ｂ）、ハンドル（５）および少なくとも１つの安全構造（６Ａ−６Ｄ）を含み、前記本体（２）は下部分（２０）、前記ハンドル（５）を伴う上部分（２４）および前および後部分（２３、２５）を有し、ここで、少なくとも１つの前記前および後部分（２３、２５）が、前記少なくとも１枚のドア（４Ａ、４Ｂ）の取り付けのための１つの開口部（２８）を伴って配置され、ここで、少なくとも１つの前記側壁（３Ａ、３Ｂ）は複数の安全ベルトホルダー（６Ａ−６Ｄ）を伴って配置される周辺固体部分（３０）を有する。【選択図】図１
2020500571.tif 000002
【特許請求の範囲】
【請求項１】
基本的にポータブルケージ（１）の形状の安全なペット運搬装置であって、
本体（２）、２つの反対に取り付けられた側壁（３Ａ、３Ｂ）、少なくとも１枚のドア（４Ａ、４Ｂ）、ハンドル（５）および少なくとも１つの安全構造（６Ａ−６Ｄ）を含み、
前記本体（２）は下部分（２０）と、前記ハンドル（５）を伴う上部分（２４）と、前および後部分（２３、２５）とを有し、ここで、少なくとも１つの前記前および後部分（２３、２５）が、前記少なくとも１枚のドア（４Ａ、４Ｂ）の取り付けのための１つの開口部（２８）を伴って配置され、ここで、少なくとも１つの前記側壁（３Ａ、３Ｂ）は複数の安全ベルトホルダー（６Ａ−６Ｄ）を伴って配置された周辺固体部分（３０）を有し、前記複数の安全ベルトホルダーは前記安全ベルトホルダーのうち４つ（６Ａ−６Ｄ）を含み、２つ（６Ａ、６Ｂ）は下部コーナー領域の各々に隣接して位置され、２つ（６Ｃ、６Ｄ）は上部コーナー領域の各々に隣接して位置され、その結果、前記複数の安全ベルトホルダー（６Ａ−６Ｄ）は前記側壁（３Ａ、３Ｂ）の垂直中心線に対し対称に位置され、下部の安全ベルトホルダー（６Ａ、６Ｂ）はほぼ垂直に延び、上部の安全ベルトホルダー（６Ｃ、６Ｄ）は垂直に対しある角度（α）、好ましくは１２０°〈α〈１５０°で延びる、安全なペット運搬装置。
【請求項２】
前記周辺固体部分（３０）は概して凸面形状を有する、請求項１に記載の安全なペット運搬装置。
【請求項３】
２つの同一の側壁（３Ａ，３Ｂ）が配置された、請求項１または２のうちのいずれかに記載の安全なペット運搬装置。
【請求項４】
前記本体（２）は垂直線に対し対称に形成され、前記前および後部分（２３、２５）は異なる角度を成した部分（２５Ａ−２５Ｃ）を含む、請求項１から３のいずれか１つに記載の安全なペット運搬装置。
【請求項５】
中央部位（２３Ａ）は前記開口部（２８）を伴って配置され、ここで、好ましくは、前記中央部位（２３Ａ）がほぼ平らで主に垂直であるが前記少なくとも１枚のドア（４Ａ）、（４Ｂ）をケージの中心の内側へ傾けるため、垂直に対しある角度（γ）で延びる、請求項４に記載の安全なペット運搬装置。
【請求項６】
前記本体（２）は、好ましくはスクリューアタッチメント（３７）用にも使用される補強材（２６Ａ、Ｂ、２７Ａ、Ｂ）を伴って配置される、請求項４または５に記載の安全なペット運搬装置。
【請求項７】
前記少なくとも１枚のドア（４Ａ、４Ｂ）の大部分が格子（４１）を含む、請求項１から６のいずれか１つに記載の安全なペット運搬装置。
【請求項８】
前記ハンドル（５）が長手方向の中心平面に対し中心からある距離（ｘ）離れて位置される、請求項１から９のいずれか１つに記載の安全なペット運搬装置。
【発明の詳細な説明】
【技術分野】
【０００１】
本発明は、安全なペットの運搬装置に関し、基本的にポータブルケージの形状をしており、ここで少なくとも１つの部分がドアの取り付けのための開口部を伴って配置され、安全ベルトホルダーが乗り物内での装置の固定を促すために配置される。
【背景技術】
【０００２】
運搬に関連して、安全性がますます注目されている。人間のために、数十年間で著しい改善が成し遂げられた。ペットについても、著しい発展がある。しかしながら今日のほとんどの安全対策は、あるサイズのペット例えば犬、猫について使用することが比較的厄介である。たいてい、既存の安全装置を組み立てるにはかなり多くの手作業を必要とする。よって、もっと容易にペットを安全に運搬し易くするための改善が必要である。
【０００３】
特許文献１は、車輪が付いている、手で運搬される、もしくは自動車シート上で拘束することができる、多目的なペット運搬装置を開示する。車輪を引いて動かすためのハンドルは伸縮自在で、格納可能で、使用しない際は引っ込められ、自動車内での装置のハンドルのいかなる危険も回避する。シートベルトは６つの異なるフランジを通り、運搬装置をカーシートへ全方向に据え付ける。運搬装置は猫用トイレおよび容易に交換できるゴミ袋、扇風機、サウンドモニターおよび他の機能が備えられる場合がある。
【０００４】
特許文献２は、ペットの所有者によって運搬されることが可能であり、運搬のために車両の中で固定されることが可能な可撓性のあるペットの囲いを形成する、一連の相互に連結したパネルおよび取り外し可能な補強部材を有するペットキャリーを開示する。支持部材が半固定であるため、キャリーを旅客機シートの下に置く際など、必要に応じて囲いの屋根は弾力的に変形される場合がある。支持部材の撤去は、使用者がペットキャリーをほぼ平らな形態へ折り畳むことを可能にする。ペットキャリーは、使用中にキャリーを水平にすることができる６点肩ストラップシステムを介してペットの所有者によって運ばれる場合がある。ペットキャリーはまた、通気を提供するためのいくつかの開口部、および空調パッドの挿入ための、キャリーの内部と連通するコンパートメントも有する。
【先行技術文献】
【特許文献】
【０００５】
【特許文献１】ＵＳ２０１６０５７９６８
【特許文献２】ＵＳ２００３１２７０６０
【発明の概要】
【０００６】
本発明は上記の状況を改善することを目的とし、それは請求項に従ったペットを保護する運搬構造を用いて達成される。
【０００７】
本発明のおかげで、時間を節約し、ペットの所有者が安全な運搬を行うことをより一層容易にする非常に容易に取り扱える安全構造が達成される。さらに、ペットにとってより快適な状態を可能にする。
【０００８】
本発明のさらに好ましい態様によって；
−  前記安全ベルトホルダーのうち４つを含む複数の安全ベルトホルダーが配置され、２つは２つの下部コーナー領域の各々に隣接して位置され、２つは２つの上部コーナー領域の各々に隣接して位置され、これは可撓性が高められるという利点を提供する。
−  前記複数の安全ベルトホルダーは前記側壁の垂直中心線に対し対称に位置され、下部の安全ベルトホルダーはほぼ垂直に延び、上部の安全ベルトホルダーは垂直に対して角度をつけて延び、ここで好ましくはその角度が１２０°から１５０°の間であり、これはさらなる使いやすさと共に高められた可撓性が達成されるという利点を提供する。
−  安全ベルトホルダーが配置される周辺固体部分には概して凸面形状があり、これは使いやすさの向上が達成され、強度に優れた特徴を持つという利点を提供する。
−  ２つの同一の側壁は装置を形成するために本体に取り付けられており、これは高められた可撓性および、費用効果という利点を提供する。
−  本体は垂直線に対し対象に形成され、好ましくは前記前および後部分は異なった角度を成した部位を含み、これは費用効果と鋭いコーナーが除去されるというさらなる利点を提供する。
−  壁の中央部位はドアのための開口部を伴って配置され、ここで好ましくは、前記中央部位はほぼ平らで主に垂直に、けれども前記少なくとも１枚のドアをケージの中心の内側へ傾けるために垂直に対しある角度で延びており、これは費用効果が達成されえ、カーシートに好適、および重力によってドアが閉まる方向に働きかけられるという利点を提供する。
−  前記本体は、好ましくはスクリューアタッチメント用にも使用される補強材を伴って配置され、これは強化材が費用効果的な方法、例えば押し出し、で容易に産生されるという利点を提供する。
−  前記少なくとも１枚のドアの大部分は格子（４１）を含み、これは装置の有効な通気を提供する。
−  ハンドルは長手方向の中心平面に対し中心からある距離離れて位置され、これは装置を運ぶことをより容易にするという利点を提供する。
【図面の簡単な説明】
【０００９】
下記において、本発明は、添付の図に関して更に詳細に記述される。
【図１】本発明に係る、好ましい実施形態の、上からの斜視図を示す。
【図２】図１の安全装置を下から見た斜視図を示す。
【図３】図１の安全装置の側面図を示す。
【図４】図１に示される装置の上からの斜視断面図を示す。
【図５】図１の安全装置の正面図を示す。
【図６】図１の安全装置の中心を水平に通った水平断面図のコーナー部分を示す。
【図７】図１の安全装置の垂直横断面図のコーナー部分を示す。
【発明を実施するための形態】
【００１０】
図１では、上からの斜視図で見られる本発明に従った保護運搬装置（１）が示される。概して、保護運搬装置（１）は、概してチューブ形状の本体（２）、左側壁（３Ａ）、右側壁（３Ｂ）を含み、概してケージを形成する。本体（２）の前および後部分（２３）、（２５）上には、そこにはまるドア（４Ａ）、（４Ｂ）を有する開口部（２８）が配置される。さらに、本体（２）の上部分（２４）上に配置される運搬ハンドル（５）がある。本体は外部に示しているジョイント（２９）へ一緒に摺動されるいくつかの押し出された部分（図７参照）から構築され、ジョイントは好ましくは下記で更に詳細に説明されるように回動可能である。さらに、側壁（３Ａ）、（３Ｂ）の各々上に配置された安全構造（６Ａ）−（６Ｄ）もある。
【００１１】
本体（２）はほぼ平面の上部分（２４）および平行するほぼ平面の下部分（２０）を含む（図２参照）。鋭いかどを避けるため、上部分（２４）、下部分（２０）、前／後部分（２３）、（２５）は、角度を成して相互に連結する部分（２３Ｂ）、（２３Ｃ）、（２５Ｂ）、（２５Ｃ）を用いて接合され、好ましくは上記角度βは３０°−６０°の範囲である。本体（２）は、垂直中心線Ｃを通り抜ける垂直平面に対し対称であるが、その中心を通り抜ける水平面に対して対称ではない。
【００１２】
図３を見て明白なように、前側（２３）および後側（２５）は垂直線に対し、ある角度γを示す。側壁（２３）、（２５）の内側への傾きγのおかげで、ドア（４Ａ）、（４Ｂ）は推進力の影響を受け（開かれる際）、それはそこに作用する重力のおかげでドア（４Ａ）、（４Ｂ）を閉じる方向に働きかけ、これは多くの状況における利点である。この傾きのさらなる理由は主として、ケージ（１）が自動車内のシートにはめるのにより適していることである。
【００１３】
図３は、側壁（２３）、（２５）の渡り部分（２３Ｂ）、（２３Ｃ）、（２５Ｂ）、（２５Ｃ）が垂直線に対し約４５°の角度に存在しうることをより明白に示しており、これは非常に鋭い角度がなされないという利点を提供する。
【００１４】
図４で見られるように、本体（２）は、別の位置で、補強するリブ（２６Ａ）、（２６Ｂ）、（２７Ａ）、（２７Ｂ）を伴って配置される。これらのリブは、側壁（３Ａ）、（３Ｂ）の取り付けに使用されるスクリュー（３７）の固定手段にも役立つ。さらに、これらのリブ（２６Ａ）のうちのいくつかは、本体（２）を形成する隣接部分（２８Ａ）、（２８Ｂ）（図７参照）の２つの相互に連結する部材（２６Ａ’）、（２６Ａ”）の組み合わせ形状であることが好ましい。好ましくは、これらの相互に連結する部材（２６Ａ’）、（２６Ａ”）は、一方向に回動可能なジョイント（９）を形成し、これはケージ（１）が車両の圧縮部と相互に作用しうるという利点を提供し、つまり、それらが内側には畳む／回動できないが外側には可能である。例えばケージ（１）が小さい車に設置され、運転席の後ろにぴったりとうまくはまり、その１つのドアが運転席の後ろ側に面している場合、本体は衝突で容易に潰される場合があり、その結果本体はさらなる抵抗をもたらさず、さもなければそれが運転者に首の怪我をもたらすかもしれない。
【００１５】
２つの側壁、（３Ａ）、（３Ｂ）は全く同じであり、本体にはめる結果として、各側壁（３Ａ）、（３Ｂ）は垂直の中心平面に対し対称である。側壁は各側壁（３Ａ）、（３Ｂ）の総面積の５０％以上をカバーする格子（３１）を有し、その格子（３１）は均質な支持部（３０）に囲まれる。さらに側壁（３Ａ）、（３Ｂ）は、前および後壁（２３）、（２５）の渡し区間に対し好ましくは３０°−６０°の範囲で角度を成した部分（３０Ｂ）、（３０Ｃ）も提供する。これらの角度を成した壁（３０Ｂ）、（３０Ｃ）の理由は、本体（２）の角度を成した部分（２３Ｂ）、（２３Ｃ）、（２５Ｂ）、（２５Ｃ）に対する理由と同じであって、つまり鋭いコーンコーナーを避けるためである。また、これらの角度を成した部分（３０Ｂ）、（３０Ｃ）はそれらが側壁の主な広がりに対して約４５°突き出るように好ましくは位置される。
【００１６】
好ましくは側壁（３Ａ）、（３Ｂ）の均質の頑丈な周囲部分（３０）と合致するこれらの角度を成した部分（３０Ｂ）、（３０Ｃ）に安全運搬装置（６Ａ）−（６Ｄ）が配置される。これらの安全装置の各々は、ほぼ平の形状で約２−８ｍｍ側壁より突き出しているＬ字の第１の部分（６１Ａ）（図２参照）と、互いの方向を指すが、互いに接触しないＬの足をしている第２の部分（６１Ｂ）とを提供する、２つのＬ字型の突き出ている部材（６０）、（６１）の形状をしている。それらの平らな表面が互いに平行になるように、平な形状の足部分（６１Ｂ）、（６０Ｂ）が突き出る。
【００１７】
従って、それらは、足部分の端部の間に開口部（６２）を作り、安全ベルト（もしくはそのようなもの）を保持する装置を共同で形成する。よって、柔軟な安全ベルトは、隙間（６２）へ容易に差し込まれても、足部分（６１Ｂ）、（６０Ｂ）のどちらか一方の下に入ってもよく、次にベルトの反対側は第２のＬ字型部材（６０）によって抑えられるように隙間（６２）へ押し込まれてもよい。それによって安全な保持は、そこに導入されたベルト（図示せず）によって達成される。各側壁（３Ａ）、（３Ｂ）上には、４つのそのような安全装置（６Ａ）−（６Ｄ）が配置される。
【００１８】
これらの安全装置のうち２つ（６Ａ）、（６Ｂ）は下部コーナーの各々の近くにある下部分（２０）に隣接して配置される。これらの２つの装置（６Ａ）、（６Ｂ）は、垂直方向に実質的に延長する足部分（６０Ｂ）、（６１Ｂ）の延長を有する。２つの他の（６Ｃ）、（６Ｄ）は、上部コーナーの各々の近くにある上部分（２４）に隣接して位置され、垂直線に対しある角度αを示す方向に延びているそれらの足部分（６０Ｂ）、（６１Ｂ）を有する。上記角度αは１２０°―１５０°の範囲であり、好ましくは垂直線に対して約１３５°であり、これは水平線に対しおよそ４５°であることを意味する。このポジショニングのおかげで、各前側は、本発明に基づいた安全運搬構造（１）への３点式安全ベルトの容易な固定を可能にする。安全装置（６Ａ）−（６Ｄ）の対称な配置のおかげで、運搬装置（１）が１つまたは他の方向に向けられた際、もしくは左側シートまたは右側シートに置かれた際に何の違いも生じない。安全装置の構造は、安全運搬装置（１）の安全な固定を常に可能にする。
【００１９】
さらに、図３および図２に示される、側壁（３Ａ）、（３Ｂ）との間に形成されたスペースに囲まれた最も広い水平断面は、運搬装置の水平の中心よりわずか下に位置づけられ、これは下部でさらにスペースが利用できる利点をもたらし、また格子を伴って配置された部分（３１）に物が引っかかるリスクを減らす、ほぼ平な形状である場合がある。
【００２０】
本体（２）への側壁（３Ａ）、（３Ｂ）のアタッチメントは既に上記に示されており、つまり、スクリュー（３７）が側壁を本体（２）に安全に取り付けるために使用されることである。さらに、フランジ（３２）および（３４）が側壁（３Ａ）、（３Ｂ）を本体（２）に安全に取り付けるために使用されることが図、例えば図４、６および７、から明らかである。これらのフランジ（３２）、（３４）が、本体（２）の表面の各側面に突き出すことによって、それらは全方向に本体（２）を安全に固定する。さらに、図２および４を参照すると、内フランジ（３４）と合致する側壁の下部に配置されたくぼみ（３６Ｂ）があることが示され、くぼみ（３６Ａ）、（３６Ｂ）は対応する雄グリップ部材（図示せず）を装備した車両に、ケージ（１）の安全な取り付けためのグリップを提供する目的を有する。
【００２１】
ドア（４Ａ）、（４Ｂ）は、本体（２）の側壁（２３）、（２５）の対応する開口部に取り付けられるのに適したフレーム（４４）に予め固定される。さらに、ヒンジ（４３Ａ）、（４３Ｂ）と開放ノブ（４２）とを有する、ドア（４０）が配置される。各ドア（４Ａ）、（４Ｂ）の大部分は格子（４１）を伴って配置される。
【００２２】
本体（２）の上部分（２４）の上に、ハンドル（５）が配置される。上記ハンドルは把持部分（５０）およびアタッチメント部分（５１）を含む。アタッチメント部分（５１）は、本体の中心線Ｃからある距離Ｘ遠ざけて位置され、それは運搬装置（１）が人によって、より容易に運ばれるという利点を提供する。
【図１】
2020500571.tif 000003
【図２】
2020500571.tif 000004
【図３】
2020500571.tif 000005
【図４】
2020500571.tif 000006
【図５】
2020500571.tif 000007
【図６】
2020500571.tif 000008
【図７】
2020500571.tif 000009
【国際調査報告】
2020500571.tif 000010
2020500571.tif 000011
2020500571.tif 000012
2020500571.tif 000013